(57)【要約】【課題】熱に弱い部品の寿命を長くするとともに、コントロールセンタ箱体へのコントローセンタユニットの挿入を容易にし、かつ主回路を流れる大電流による誘導ノイズの影響を少なくする。【解決手段】配線用遮断器１８、電磁接触器３５、変流器１１等の主回路機器と、補助リレー３４、遅延釈放ユニット等の制御機器を一対の側板３２，３３と底板３７及び背面板３１によって形成された箱の中に収納し、電線や導体で回路を構成したコントロールセンタユニットにおいて、背面板３１をコントロールセンタの操作面から見て、奥行き方向の最後方ではなく、中間の位置に配置し、背面板３１の背面のスペースには側板を設けない。【選択図】図１
2008022673.tif 000002
【特許請求の範囲】
【請求項１】
主回路機器と制御機器を一対の側板と底板及び背面板によって箱形に形成された中に収納し、電線や導体で回路を構成して、電力系統の制御、保護を行うコントロールセンタユニットにおいて、背面板をコントロールセンタの操作面から見て奥行き方向の最後方ではなく、中間の位置に配置し、背面板の背面のスペースには側板を設けないことを特徴とするコントロールセンタユニット。
【請求項２】
背面板の背面のスペースに熱に弱い部品を配置したことを特徴とする請求項１記載のコントロールセンタユニット。
【請求項３】
主回路機器と制御機器を一対の側板と底板及び背面板によって箱形に形成された中に収納し、電線や導体で回路を構成して、電力系統の制御、保護を行うコントロールセンタユニットにおいて、主回路の配線が、どの方向から見ても完全なループを描くことがないように部品を配置したことを特徴とするコントロールセンタユニット。
【発明の詳細な説明】
【技術分野】
【０００１】
この発明は、配線用遮断器、電磁接触器、変流器などの主回路機器と補助リレー、遅延釈放ユニットなどの制御機器とを一対の側板と底板及び背面板によって箱形に形成された中に収納し、電線や導体で回路を構成して、電力系統の制御、保護を行うコントロールセンタユニットに関するものである。
【背景技術】
【０００２】
従来のコントロールセンタとしては、特許文献１及び特許文献２に記載されたものが知られている。図６は特許文献１に記載された従来のコントロールセンタユニットを前面から見た状態を示す斜視図、図７は同ユニットを後面から見た状態を示す斜視図、図８は同ユニットを上面から見た状態を示す平面図、図９は同ユニットを後面から見た状態を示す後面図、図１０は同ユニットを引き外した後の空状態のコントロールセンタ箱体Ｂを示す斜視図である。器具取付板２３としては、前部取付部２３ｂと後部取付部２３ｃとその間の中間折り曲げ部２３ａとを有する略Ｚ字形板部分に加え、中間折り曲げ部２３ａから背面側へ延伸された板状の仕切り部２３ｄを設けてある。そして、器具取付板２３の前部取付部２３ｂの前面には、電源側端子１８ａを中央側に向け、負荷側端子１８ｂを側板１のある外側に向けて配線用遮断器１８が取り付けられ、前部取付部２３ｂの背面には操作用変圧器１５が取り付けられている。また、後部取付部２３ｃの前面には、電磁開閉器８と零相変流器一体形継電器（零相変流器と継電器が一体になったもの）３０とが取り付けられ、さらには制御用端子台１４がその取付部とともに取り付けられている。又、後部取付部２３ｃから背面側に設けられた電源グリップ取付部に電源グリップ５が取り付けられている。また、仕切り部２３ｄには、後部取付部２３ｃの背面側の位置に変流器１１が取り付けられている。１３は配線用遮断器１８を操作するための操作ハンドル、２４は前横部材２４ａと後横部材２４ｂとを一体化した天枠、２５は底板である。ユニット本体は、側板１，２と天枠２４と底板２５の外周板により構成される。又、側板１，２の前後の上部にはローラ１９〜２２を設けるとともに、その通路となるレール２６，２７をコントロールセンタ箱体Ｂに設けている。６は主回路の配線である。
【０００３】
又、図１１は特許文献２に記載された従来のコントロールセンタユニットを前面から見た状態を示す斜視図、図１２は同ユニットを後面から見た状態を示す斜視図、図１３は同ユニットを上面から見た状態を示す平面図、図１４は同ユニットを後面から見た状態を示す後面図、図１５は同ユニットＡが収納された状態のコントロールセンタの箱体Ｂを示す斜視図である。ユニットＡは、図１５に示すように、コントロールセンタ箱体Ｂに多段積みして収納される。１，２はユニットＡの側板であり、ユニットＡの挿入．引出し用のガイド板２８，２９が取り付けられている。３は左右の側板１，２間の上部前側に配置された前横部材、４は左右の側板１，２間の上部後側に配置された後横部材であり、電源グリップ５が取り付けられている。１６は左右の側板１，２間に配置された器具を取り付けるための略Ｚ字形の取付板であり、中間折曲部１６ａ、前部取付部１６ｂ、後部取付部１６ｃからなり、前部取付部１６ｂの前面には、電源側端子を左の側板１のある外側に向け、負荷側端子を中央側に向けた配線用遮断器７が取り付けられ、前部取付部１６ｂの背面には、変流器１１、電流センサ９、零相変流器１２が横方向に並べて取り付けられている。また、後部取付部１６ｃの前面には電磁開閉器８及び継電器１７が取り付けられ、後部取付部１６ｃの背面には他の器具から隔離して配置した操作用変圧器１５が取り付けられている。１３は配線用遮断器７を操作するための操作ハンドル、１４は制御用端子台である。
【特許文献１】特開２００１−１７７９２６号公報
【特許文献２】特開平６−１５３３３３号公報
【発明の開示】
【発明が解決しようとする課題】
【０００４】
従来のコントロールセンタユニットは上記のように構成されており、何れの例においても、操作用変圧器１５の焼損から他の機器への影響を防止する考慮はなされているが、電解コンデンサなど周囲の温度上昇に拠って著しく寿命が低下する恐れのある機器に対する考慮が成されておらず、このような部品の劣化寿命を著しく縮めてしまう危険性があった。又、コントロールセンタユニットをコントロールセンタの箱体Ｂに対して挿入する際に、ユニットの質量を支えながら位置を合わせて行う必要があるが、ユニットの外形がほぼ直方体となっており、ユニットの背面側の視界が側板１，２によって遮られるため、作業がし辛く、作業者への負担が大きかった。さらに、上記何れのユニットにおいても、主回路の配線６が図８、図１３など上部から見ると、ループを描く経路をたどって配線されており、一般的にループ上に構成された電線に電流が流れると、そのループの中心軸に集中して磁界が発生するため、負荷の突入電流や短絡など、主回路に流れる大電流による誘導ノイズの影響を周囲に与えやすく、電子機器などの誤作動をより誘発し易くする恐れがあった。
【０００５】
この発明は上記のような課題を解決するために成されたものであり、熱に弱い部品の寿命を長くすることができるとともに、コントロールセンタ箱体へのコントロールセンタユニットの挿入を容易に行うことができ、かつ主回路に流れる大電流による誘導ノイズの影響を周囲に与えることがないコントロールセンタユニットを得ることを目的とする。
【課題を解決するための手段】
【０００６】
この発明の請求項１に係るコントロールセンタユニットは、主回路機器と制御機器を一対の側板と底板及び背面板によって箱形に形成された中に収納し、電線や導体で回路を構成して、電力系統の制御、保護を行うコントロールセンタユニットにおいて、背面板をコントロールセンタの操作面から見て奥行き方向の最後方ではなく、中間の位置に配置し、背面板の背面のスペースには側板を設けないものである。
請求項２に係るコントロールセンタユニットは、背面板の背面のスペースに熱に弱い部品を配置したものである。
請求項３に係るコントロールセンタユニットは、主回路機器と制御機器を一対の側板と底板及び背面板によって箱形に形成された中に収納し、電線や導体で回路を構成して、電力系統の制御、保護を行うコントロールセンタユニットにおいて、主回路の配線が、どの方向から見ても完全なループを描くことがないように部品を配置したものである。
【発明の効果】
【０００７】
以上のようにこの発明の請求項１によれば、背面板をコントロールセンタの操作面から見て奥行き方向の最後方ではなく、中間の位置に配置し、背面板の背面のスペースには側板を設けないので、背面板の背面側における部品の点検、取付、交換等が容易になるとともに、コントロールセンタ箱体へコントロールセンタユニットを挿入する際に両者の位置関係が視認し易くなり、コントロールセンタ箱体へのコントロールセンタユニットの挿入を容易に行うことができる。
【０００８】
請求項２によれば、背面板の背面のスペースに熱に弱い部品を配置したので、発熱部品から熱に弱い部品を隔離することができ、熱に弱い部品の寿命を長くすることができる。
【０００９】
請求項３によれば、主回路の配線がどの方向から見ても完全なループを描くことが無いように部品配置をしたので、主回路に流れる大電流による誘導ノイズの周囲への影響を少なくすることができる。
【発明を実施するための最良の形態】
【００１０】
以下、この発明を実施するための最良の形態を図面とともに説明する。図１はこの発明の実施最良形態によるコントロールセンタユニットを前面から見た状態を示す斜視図、図２は同ユニットを後面から見た状態を示す斜視図、図３は同ユニットを上面から見た状態を示す平面図、図４は同ユニットを後面から見た状態を示す後面図、図５は同ユニットを挿入する直前の空状態のコントロールセンタ箱体Ｂと挿入するコントロールセンタユニットＡの位置関係を示すとともに、従来のユニットの側板の状態を点線で付加した斜視図である。３１はユニットの背面板であり、器具取付板と共用の平らな一枚板であり、その位置はコントロールセンタの操作面から見て奥行き方向の最後方ではなく、中間の位置に配置し、背面板３１の背面のスペースには側板３２，３３を設けない。背面板３１の前面右側に配線用遮断器１８、その下に補助リレー３４、背面板３１の前面左側には電磁接触器３５、その下に外部計測用の変流器１１を配置した。又、配線用遮断器１８の電源端子の充電部保護対策として端子カバー１８ｃを取り付けた。又、背面板３１の背面側には遅延釈放ユニット３６、電流センサ９及び零相変流器１２などを配置した。その時、背面板３１の前面右側に取り付けた配線用遮断器１８の電源側及び負荷側の配線４３は背面板３１の専用貫通孔３１ａ，３１ｂを通って背面板３１の前後を最短距離で行き来するようにした。
【００１１】
３７は底板であり、その両側端を上方に折り曲げることによりガイド部３７ａを設けるとともに、底板３７に強度を持たせている。又、底板３７上の前面右側には電子式コントローラ３８を設けるとともに、底面３７上の背面側には電源グリップ５を設置した。さらに、コントロールセンタ箱体Ｂには、底板３７のガイド部３７ａを挿入するレール３９，４０を設けた。また、側板３２には主回路の負荷側プラグ４１と制御回路のコネクタ４２を配置した。また、ユニットの上部前面側の補強のために側板３２，３３間の上部前面側に前横部材３を設けた。又、配線用遮断器１８の操作ハンドル１３が従来同様に設けられ、操作用変圧器１５は背面板３１の前面側に設けられている。４３は各部品を電気的に接続する主回路の配線である。
【００１２】
上記構成においては、配線用遮断器１８、電磁接触器３５、変流器１１などの主回路機器と、補助リレー３４、遅延釈放ユニット３６などの制御機器を一対の側板３２，３３と底板３７及び背面板３１によって箱形に形成された中に収納し、電線や導体で回路を構成して、電力系統の制御や保護を行うコントロールセンタユニットＡを構成しており、その背面板３１をコントロールセンタの操作面から見て、奥行き方向の最後方ではなく、中間の位置に配置し、背面板３１の背面側のスペースには図５に示すように、側板３２，３３を設けていない（従来の側板１，２は背面板３１の背面側まで設けられている）。このため、背面板３１の背面側では、前面側に比べて換気が良くなり、また主な発熱体である配線用遮断器１８や電磁接触器３５を背面板３１の前面側に設けるとともに、熱に弱い電解コンデンサを備えた遅延釈放ユニット３６などを背面板３１の背面側に配置しており、熱に弱い部品を発熱体から隔離したので、背面板３１の背面側の温度上昇を抑えることができ、熱に弱い部品の寿命を長くすることができる。
【００１３】
又、背面板３１の背面側に側板３２，３３が設けられていないので、背面板３１の背面側に配置した部品の点検、取付、交換等を背面板３１を取り外すことなく行うことができ、作業者の負担が軽くなる。さらに、同じく、背面板３１の背面側に側板３２，３３が設けられていないので、コントロールセンタ箱体ＢにコントロールセンタユニットＡを挿入する際に、コントロールセンタユニットＡの後部とコントロールセンタ箱体Ｂの挿入場所の位置関係が視認し易く、これによっても作業者の負担を軽減することができる。又、主回路の配線４３を、どの方向から見ても完全なループを描くことがないように部品配置を考慮したので、負荷の突入電流や短絡など、主回路に流れる大電流による誘導ノイズの周囲への影響をより少なくし、電子機器などの誤動作を抑えることができる。
【図面の簡単な説明】
【００１４】
【図１】この発明の実施最良形態によるコントロールセンタユニットを前面から見た状態を示す斜視図である。
【図２】実施最良形態によるコントロールセンタユニットを後面から見た状態を示す斜視図である。
【図３】実施最良形態によるコントロールセンタユニットを上面から見た状態を示す平面図である。
【図４】実施最良形態によるコントロールセンタユニットを後面から見た状態を示す後面図である。
【図５】実施最良形態によるコントロールセンタユニットを挿入する直前の空状態のコントロールセンタ箱体Ｂと挿入するコントロールセンタユニットＡの位置関係を示すとともに、従来のユニットの側板の状態を点線で付加した斜視図である。
【図６】特許文献１に示された従来のコントロールセンタユニットを前面から見た状態を示す斜視図である。
【図７】特許文献１に示された従来のコントロールセンタユニットを後面から見た状態を示す斜視図である。
【図８】特許文献１に示された従来のコントロールセンタユニットを上面から見た状態を示す平面図である。
【図９】特許文献１に示された従来のコントロールセンタユニットを後面から見た状態を示す後面図である。
【図１０】特許文献１に示された従来のコントロールセンタユニットを引き外した後の空状態のコントロールセンタ箱体Ｂを示す斜視図である。
【図１１】特許文献２に示された従来のコントロールセンタユニットを前面から見た状態を示す斜視図である。
【図１２】特許文献２に示された従来のコントロールセンタユニットを後面から見た状態を示す斜視図である。
【図１３】特許文献２に示された従来のコントロールセンタユニットを上面から見た状態を示す平面図である。
【図１４】特許文献２に示された従来のコントロールセンタユニットを後面から見た状態を示す後面図である。
【図１５】特許文献２に示された従来のコントロールセンタユニットＡが収納された状態のコントロールセンタ箱体Ｂを示す斜視図である。
【符号の説明】
【００１５】
１１…変流器
１８…配線用遮断器
１８ｃ…端子カバー
３１…背面板
３１ａ，３１ｂ…専用貫通孔
３２，３３…側板
３４…補助リレー
３５…電磁接触器
３６…遅延釈放ユニット
３７…底板
３７ａ…ガイド部
３９，４０…レール
４３…主回路の配線
Ａ…コントロールセンタユニット
Ｂ…コントロールセンタ箱体
【図１】
2008022673.tif 000003
【図２】
2008022673.tif 000004
【図３】
2008022673.tif 000005
【図４】
2008022673.tif 000006
【図５】
2008022673.tif 000007
【図６】
2008022673.tif 000008
【図７】
2008022673.tif 000009
【図８】
2008022673.tif 000010
【図９】
2008022673.tif 000011
【図１０】
2008022673.tif 000012
【図１１】
2008022673.tif 000013
【図１２】
2008022673.tif 000014
【図１３】
2008022673.tif 000015
【図１４】
2008022673.tif 000016
【図１５】
2008022673.tif 000017